(57)【要約】【課題】  カメラの設置、調整に際して作業時間の短縮化、労力低減を図った電子機器の構造を得る。【解決手段】利用者の人物画像を撮影するカメラと、少なくとも利用者の操作のための情報及びカメラで撮影された人物画像を表示する表示画面が実装されたフロントパネルを有する電子機器において、フロントパネルはそれを回転させて開閉する回動機構を介して電子機器の筐体に取り付けられ、かつカメラの角度を回転させるカメラ回転機構を備える。保守に際しては、フロントパネルを閉じた状態で、表示画面にカメラの映像を表示し、フロントパネルの前面からカメラ回転機構を操作して、カメラの角度を調整する。【選択図】  図１
2005293442.tif 000002
【特許請求の範囲】
【請求項１】
利用者の人物画像を撮影するカメラと、少なくとも利用者の操作のための情報及び該カメラで撮影された人物画像を表示する表示画面が実装されたフロントパネルを有する電子機器において、
該フロントパネルはそれを回転させて開閉する回動機構を介して該電子機器の筐体に取り付けられ、かつ該カメラの角度を回転させるカメラ回転機構を備え、
該フロントパネルを閉じた状態で、該表示画面に該カメラの映像を表示し、該フロントパネルの前面から該カメラ回転機構を操作して、該カメラの角度を調整することを特徴とする電子機器。
【請求項２】
請求項１の電子機器の構造において、該カメラ回転機構は、該カメラを取り付けたカメラ金具と、該カメラ金具を回動する回転軸とを有し、該フロントパネルの前面から保守員により該カメラ金具を回転させて、該カメラの角度を変更することを特徴とする電子機器。
【請求項３】
請求項２記載の電子機器の構造において、該カメラ金具を固定するカメラベースと、該カメラベースと該カメラ金具との間に実装された圧縮コイルばねを備えることを特徴とした電子機器。
【請求項４】
利用者の人物画像を撮影するカメラと、少なくとも利用者の操作のための情報と該カメラで撮影された人物画像を表示する表示画面が実装されたフロントパネルを有する電子機器における該カメラに関する保守調整方法において、
該フロントパネルを閉じた状態にするステップと、
該表示画面の表示状態を、利用者用の操作画面から保守員用の操作画面に切り替えるステップと、
該表示画面を保守員操作画面に切り替えた後、該表示画面を該カメラ調整画面に切り替えるステップと、
該カメラで人物画像を撮影して、該表示画面に表示するステップと、
該表示画面に人物画像を表示させた状態で、該フロントパネルの前面からカメラの回転機構を操作して、該カメラの位置を調整するステップと、
を有することを特徴とする保守調整方法。
【請求項５】
請求項４記載の保守調整方法において、
カメラ調整画面に切り替えた後、該フロントパネルを開き、該カメラの前面に配置される透明遮蔽板を外すステップと、
該カメラの調整が終了した後、該フロントパネルを開いて、該カメラの前面に該透明遮蔽板を取り付けるステップと、
該透明遮蔽板を取り付けた後、該フロントパネルを閉じるステップと、
を更に有することを特徴とする保守調整方法。
【発明の詳細な説明】
【技術分野】
【０００１】
本発明は、電子機器の筐体構造に係り、特に表示画面を有する電子機器に設置されるカメラの状態の調整構造及び保守調整方法に関する。
【背景技術】
【０００２】
電子機器、例えば現金自動取引装置や自動契約機には、本人確認や証明写真を得るために、これら装置の利用者の映像を撮影する人物カメラが備えられている。例えば、特開２０００−３５３２６６号公報（特許文献１）には、金融機関の窓口業務の省力化を図ることを目的とした金銭自動取引装置において、帳票回収部にセットされる用紙に含まれる顔写真が正しいものかを確認するため、照合用として顧客の顔画像を取り込む人物カメラを備える技術が開示されている。
【０００３】
【特許文献１】特開２０００−３５３２６６号公報
【発明の開示】
【発明が解決しようとする課題】
【０００４】
上記の特許文献１には、顧客を撮影する人物カメラを設置することについては開示されているが、そのカメラを装置に取付ける際に、それをどのように調整し、保守するのかの点については開示されていない。
一般的に、人物カメラの調整場所としては、出荷前の組立職場で調整を行う場合や、設置場所である現地で調整を行う場合の２種類がある。特に現地で調整作業を行う場合を考えると、調整時間の短縮や作業性の向上を考慮することが重要である。
【０００５】
本発明の目的は、カメラの設置、調整に際して作業時間の短縮化、労力低減を図った電子機器の構造を提供することにある。
本発明の他の目的は、装置の前面からカメラの取り付けに係わる調整や保守ができる電子機器の保守調整方法を提供することにある。
【課題を解決するための手段】
【０００６】
本発明は、上記目的を達成するために、利用者の人物画像を撮影するカメラと、少なくとも利用者の操作のための情報及びカメラで撮影された人物画像を表示する表示画面が実装されたフロントパネルを有する電子機器において、フロントパネルはそれを回転させて開閉する回動機構を介して電子機器の筐体に取り付けられ、かつカメラの角度を回転させるカメラ回転機構を備え、フロントパネルを閉じた状態で、表示画面にカメラの映像を表示し、フロントパネルの前面からカメラ回転機構を操作して、カメラの角度を調整するように構成したものである。
好ましい例では、上記カメラ回転機構は、カメラを取り付けたカメラ金具と、カメラ金具を回動する回転軸とを有し、フロントパネルの前面から保守員によりカメラ金具を回転させて、カメラの角度を変更する。
また、一例では、カメラ金具を固定するカメラベースと、カメラベースとカメラ金具との間に実装された圧縮コイルばねを備える。
【０００７】
本発明は、また、利用者の人物画像を撮影するカメラと、少なくとも利用者の操作のための情報とカメラで撮影された人物画像を表示する表示画面が実装されたフロントパネルを有する電子機器におけるカメラに関する保守調整方法において、フロントパネルを閉じた状態にするステップと、表示画面の表示状態を、利用者用の操作画面から保守員用の操作画面に切り替えるステップと、表示画面を保守員操作画面に切り替えた後、表示画面をカメラ調整画面に切り替えるステップと、カメラで人物画像を撮影して、表示画面に表示するステップと、表示画面に人物画像を表示させた状態で、フロントパネルの前面からカメラの回転機構を操作して、カメラの位置を調整するステップとを有する保守調整方法である。
【発明の効果】
【０００８】
本発明によれば、装置の前面から保守員が、表示画面に映し出される人物画像を見ながらカメラの映像角度の調整ができるので、容易にカメラの角度調整作業を行える。これにより電子機器の設置時における作業時間の短縮や労力の低減ができる。
【発明を実施するための最良の形態】
【０００９】
以下、図面を参照して本発明の一実施例について説明する。
図１は本発明の一実施例における現金自動取引装置の外観斜視図、図２は一実施例におけるブース設置状態での装置外観側面図で、フロントパネルを開けた状態と閉めた状態を示す。図３は保守員が調整作業を行う全体フローチャート。図４は一実施例の表示画面に映し出された係員操作画面、図５は一実施例の表示画面に表示出された保守員操作画面、図６は表示画面に表示されたテスト・メンテナンス画面。図７はカメラ調整画面で、保守員はこの画面を見ながらカメラの映像角度やピント等の調整作業を行う。図８は一実施例におけるカメラ調整作業の動作フローチャート、図９は一実施例のスモークアクリル取付け取外し構造分解断面図で、スモークアクリル５がフロントパネル２と人物カメラベース７との間に挟まれている状態を示す。図１０は一実施例のカメラ角度変更の構造を示す断面図、図１１は本発明の一実施例のカメラ金具が回転する機構詳細図、図１２は図１０のＡ部の拡大図、図１３は、カメラの角度を上下左右や斜めに変更する構造の例を示す。
【００１０】
まず図１において、例えば現金自動取引装置のような電子機器は、主に電子機器本体１とフロントパネル２から構成され、図２に示すようにヒンジを介してフトントパネル２は上側に回動する。フロントパネル２には、人物映像を撮影するための人物カメラ３のユニットをフロントパネル２に固定する人物カメラベース７と、利用者のために操作方法などを含む各種情報を表示する表示画面４が実装されている。表示画面４の表示器としては、例えば液晶表示器が使用される。ここでフロントパネル２には、人物カメラ３の撮影範囲より大きなカメラ窓８が空いており、フロントパネル２と人物カメラベース７との間には、人物カメラ３の存在を操作者に意識させないようにするスモークアクリル５が挟まれている。
【００１１】
ここで、スモークアクリル５は、現金自動取引装置の利用者や通行人などに悪戯で取外されないようにするため、フロントパネル２の裏側である電子機器内側に、フロントパネル２と人物カメラベース７で挟み込む形で取付けられている。保守員によりフロントパネル２を開けて、初めてスモークアクリル５が取外し可能な状態となる。
【００１２】
また、フロントパネル２には鍵６が実装されており、鍵６は通常使用しているフロントパネル２のロック機能と、顧客操作画面と保守や点検時に使用する係員操作画面とを切替えるモード切替え機能の２つの機能を有している。
【００１３】
図２に示すように、電子機器は設置ブース９などに設置される。その設置高さは設置場所や設置条件により異なり、最初からは特定出来ない。たとえ出荷前に調整作業を行ったとしても、現地にて保守員１０による人物カメラ３の映像角度調整が必要となる。
【００１４】
次に、図９から図１２を参照してカメラの調整構造について説明する。
図９は、スモークアクリル５の取付け・取外し構造を示す図である。
フロントパネル２にはカメラ窓８が空いている。人物カメラベース７は、フロントパネル２に設けられたスタッド１５にナット１６で固定される。スモークアクリル５は、透明な遮蔽版であり、フロントパネル２と人物カメラベース７との間に挟み込まれた状態で取付けられる。スモークアクリル５を取外す場合は、ナット１６を外して人物カメラベース７を一旦取り外し、スモークアクリル５を抜き取る。再度、人物カメラベース７をフロントパネル２に戻して取り付けると人物カメラ３の角度調整が出来る状態となる。スモークアクリル５を取付ける場合は、取外す場合と逆の作業を行うことになる。
【００１５】
図１０は、図９の状態からスモークアクリル５を取外し、人物カメラベース７のみフロントパネル２に固定した状態であり、カメラ窓８が空いている状態、即ち保守員側から人物カメラ３にアクセス出来る状態の図である。
【００１６】
図１１は、人物カメラ固定金具１７と連結金具１８との連結部１９の構造を拡大して示しており、図１２は、図１０のＡ部の拡大図である。
人物カメラ３は人物カメラ金具１７に固定されており、人物カメラ金具１７は連結金具１８を介して人物カメラベース７に固定されている。また、人物カメラ金具１７と連結金具１８との連結部１９は、スペーサ２０とねじ２１で固定されているが、スペーサ２０の内径とねじ２１の外径との間には隙間ａ２２が存在する。更に、人物カメラ金具１７とねじ２０のねじ頭との間には隙間ｂ２３を設ける。これにより人物カメラ金具１７が回動可能な構造となっている。
【００１７】
ここで、装置の設置条件により必要なカメラ調整方向が異なるが、本実施例では設置場所の高さの違いでカメラ角度の調整が必要な場合を示している。よって、人物カメラ金具１７の回転方向としては、人物カメラ３の映像が保守員１０の上下方向である矢印ｃの方向に回転するような構造となっている。具体的に、人物カメラ金具１７の回転軸２４を人物カメラ３の撮影方向に対し垂直で、且つ電子機器の設置面に対し平行に設けている。これによって人物カメラ３は矢印ｃ方向に回転し、人物カメラ３を矢印ｃの上下方向に調整できる。
【００１８】
次に、人物カメラ３の角度調整位置を固定させる方法については、図１２に示す構造で実現される。まず、回転軸２４を通過しない位置に中心２５を持ったねじ位置で人物カメラベース７と人物カメラ金具１７を固定し、更に人物カメラベース７と人物カメラ１７との間に圧縮コイルばね２６を挟む。本実施例では、中心２５をカメラ窓８方向に向けることによりカメラ窓８の外からドライバー３３でねじ２７にアクセスして、人物カメラ３の角度調整作業が出来るようになっている。また、ねじ２７へカメラ窓８側からアクセス出来るように人物カメラベース３にタップ２８、人物カメラ金具１７に長穴２９という取付け関係とし、ねじ２７のねじ頭がカメラ窓８側に向くように構成される。長穴２９は、ねじ２７のねじ頭と圧縮コイルばね２６の外径よりも大きいサイズで空いており、ねじ２７のねじ頭と長穴２９、圧縮コイルばね２６と長穴２９との間にはラップ部分３０が存在している。
【００１９】
これにより、ねじ２７を右に回転させると矢印ａ３１方向にねじ２７は移動する。逆にねじ２７を左に回すと矢印ｂ３２方向にねじ２７は移動する。更に、人物カメラベース７と人物カメラ金具１７との間に圧縮コイルばね２６が挟み込まれており、圧縮コイルばね２６は常に人物カメラ金具１７を押す方向に力が掛かる。ねじ２７の回転による移動で人物カメラ金具１７が回転軸２４を中心に回転し、人物カメラ３の映像角度を上下どちらの方向にも変更することが出来る構造となっている。
【００２０】
以上、人物カメラ３の上下方向での調整構造について説明したが、左右方向での調整が必要な場合は、人物カメラ金具１７の回転軸２４を人物カメラ３の撮影方向に対し垂直で、且つ電子機器の設置面に対し「垂直」に設けることで対応出来る。
【００２１】
次に図１３を参照して、人物カメラ３を上下左右や斜め方向に角度調整する構造について説明する。
前述と同様に、人物カメラベース７と人物カメラ金具１７とは連結金具ｂ３４で連結されている。この例では、連結部ｂ３５を球形状にし、更に人物カメラ金具１７側と連結金具ｂ３４側とで隙間ｃ３６を設けることで、人物カメラ金具１７を上下左右や斜めにも回動できる構造としている。また、角度の位置決めをするためのねじ２６と圧縮コイルばね２７を、人物カメラ金具１７の回動中心である連結部ｂ３５を中心にして対称でない位置に、最低２箇所以上設けることで上下左右方向と斜め方向に人物カメラ３の角度調整が可能となる。
【００２２】
次に、図３のフローチャートを参照して、現地で保守員が行う確認及び調整の作業の流れについて説明する。
まず、現地に電子機器を設置する（Ｓ１）。次に、電子機器のフロントパネル２を開け（Ｓ２）、ブレーカを入れる（Ｓ３）。そして電源を投入して（Ｓ４）、開けたフロントパネル２を閉める（Ｓ５）。その後しばらく待つと画面に業務画面が表示される。続いてフロントパネル２のロックを解除する（Ｓ６）。この時、鍵６はモード切替え機能として機能し、ロックを解除する動作により顧客操作画面から係員操作画面に切替えられ、その操作画面が表示される（Ｓ７）。そして、画面に表示されている保守員画面ボタン１１（図４）を押すと、図５に示すような保守員操作画面に切替わる（Ｓ８）。
次に、画面に表示されているハード単体テストボタン１２を押すと、図６に示すようなテスト・メンテナンス画面に切替わる（Ｓ９）。ここまでが準備作業であり、同じ形成の現金自動取引装置ならばいずれも一連の作業で行うことができる。この状態から保守員は各種調整作業を実施していく。
【００２３】
各種調整作業としては、カメラ調整作業（Ｓ１０）、タッチパネル原点補正（Ｓ１１）、スピーカ動作確認（Ｓ１２）、複合デバイス動作確認（Ｓ１３）、各種メカ機構の動作確認（Ｓ１４）が有る。それぞれの動作確認等で不具合が有った場合は、ステップＳ１５からステップＳ１９までのそれぞれの調整作業を行い、適正な状態に設定する。これら全ての確認と調整が終了すると、調整作業終了となる（Ｓ２０）。
これらの調整作業は、現金自動取引装置の出荷時に一度実施され、調整済みとなっているが、輸送時の振動や設置時の衝撃などにより最適状態から変わってしまう場合もある。このため、現地に装置を設置した後でも保守員が同じ作業を行って再確認している。
【００２４】
これらの調整作業の中で、カメラの調整作業（Ｓ１０）は、現金自動取引装置の設置状態、即ち設置場所や設置高さに起因するばらつきに対処するためである。人物カメラ３の角度調整は、他の調整作業と比較して、設置後保守員１０による調整作業が必要となる場合が多い。
【００２５】
具体的な作業としては、図６に示すテスト・メンテナンス画面でＣＣＤカメラボタン１３を押す。すると表示画面４は、図７に示すようなＣＣＤカメラ動作確認画面に切替わる。保守員１０は画面に映し出された自分の画像１４を見ながらカメラの調整作業を実施する。調整作業としては、角度調整の他に、例えばピント調整や輝度調整、コントラスト調整等がある。
【００２６】
次に、図８のフローチャートを参照して、保守員が行うカメラ角度調整作業の流れを説明する。
まず、表示画面４を図７に示すカメラ調整画面に切替える（Ｓ２１）。その後、画面上側に映し出された自分の画像１４の表示状態を確認する（Ｓ２２）。最初から最適な画像が表示されている場合は人物カメラ３の調整作業は終了する。
【００２７】
しかし、映し出された自分の画像１４の状態が最適でない場合には、フロントパネル２を開け（Ｓ２３）、スモークアクリル５を取外す（Ｓ２４）。ここで、フロントパネル２を開閉出来るのは鍵６のキーを所持している保守員１０であり、保守員によりスモークアクリル５を取外した後、人物カメラベース７だけをフロントパネル２に取付け直し、フロントパネル２を閉める（Ｓ２５）。スモークアクリル５を取外し、フロントパネル２を閉めることで、装置の外側から保守員はフロントパネル２に空いているカメラ窓８を通して人物カメラ３を触り、調整作業が可能となる。
そして、保守員１０は自分の画像が映し出された表示画面４を見ながら人物カメラ３の角度調整を行う（Ｓ２６）。最適な画像が得られたら人物カメラ３の角度変更を止める。ピント、輝度、コントラストの調整が終了したらフロントパネル２を開き（Ｓ２７）、先程取外したスモークアクリル５を元に戻し（Ｓ２８）、フロントパネル２を閉めて（Ｓ２９）、全てのカメラ調整作業が終了する。
【００２８】
上記したように、電子機器に実装された人物カメラの角度調整が可能な実装構造となっているので、装置の設置場所で人物カメラの角度調整を行う必要が有る場合、一回の調整作業で済み、短時間で調整作業を終了できる。
【００２９】
なお、本発明は上記実施例に限定されることなく、現金自動取引装置以外の電子機器にも適用できる。また、カメラの角度変更の機構は、図９乃至図１３に示されたものに限定されない。
【図面の簡単な説明】
【００３０】
【図１】本発明の一実施例における現金自動取引装置の外観斜視図。
【図２】一実施例におけるブース設置状態における現金自動取引装置の外観側面図。
【図３】一実施例において保守員が行う電子機器の調整作業の流れを示すフローチャート。
【図４】一実施例における表示画面に表示された係員操作画面を示す図。
【図５】一実施例における表示画面に表示された保守員操作画面を示す図。
【図６】一実施例における表示画面に表示されたテスト・メンテナンス画面を示す図。
【図７】一実施例における人物画像調整画面を示す図。
【図８】一実施例におけるカメラ調整作業の動作を示すフローチャート。
【図９】一実施例におけるスモークアクリル５の取付け取外し構造の分解断面図。
【図１０】一実施例におけるカメラの角度変更の構造を示す断面図。
【図１１】一実施例におけるカメラ固定金具の回転構造の詳細を示す断面図。
【図１２】図１０のＡ部の拡大図。
【図１３】一実施例におけるカメラの角度を変更するための構造を示す断面図。
【符号の説明】
【００３１】
１…電子機器本体、        ２…フロントパネル、        ３…人物カメラ、
４…表示画面、            ５…スモークアクリル、      ６…鍵、
７…人物カメラベース、    ８…カメラ窓、              ９…設置ブース、
１０…保守員、          １１…保守員画面ボタン、    １２…ハード単体テストボタン１３…ＣＣＤカメラボタン、  １４…自分の画像、      １５…スタッド、
１６…ナット、          １７…人物カメラ金具、      １８…連結金具ａ、
１９…連結部ａ、        ２０…スペーサ、            ２１…ねじ、
２２…隙間ａ、          ２３…隙間ｂ、              ２４…回転軸、
２５…中心、            ２６…圧縮コイルばね、      ２７…ねじ、
２８…タップ、          ２９…長穴、                ３０…ラップ部分、
３３…ドライバー、      ３４…連結金具ｂ、          ３５…連結部ｂ、
a, b, c…矢印          ３６…隙間ｃ。
【図１】
2005293442.tif 000003
【図２】
2005293442.tif 000004
【図３】
2005293442.tif 000005
【図４】
2005293442.tif 000006
【図５】
2005293442.tif 000007
【図６】
2005293442.tif 000008
【図７】
2005293442.tif 000009
【図８】
2005293442.tif 000010
【図９】
2005293442.tif 000011
【図１０】
2005293442.tif 000012
【図１１】
2005293442.tif 000013
【図１２】
2005293442.tif 000014
【図１３】
2005293442.tif 000015